(57)【要約】【課題】  既設階段を容易に化粧部材で被覆し、施工性及び意匠性に優れた階段の改修方法について提供することを目的とする。【解決手段】  階段の改修方法は、蹴込み板１２と、段鼻１１ａが蹴込み板１２から突出した踏み板１１と、を具備する既設階段１を板状の化粧部材２で被覆する方法であって、化粧部材２は、踏み板１１の上面１１ｂ及び段鼻１１ａ側の側面１１ｃを被覆する第１部材２１と、化粧面２２ｃに対し下端面２２ａが鋭角に形成されて蹴込み板１２を被覆する第２部材２２と、踏み板１１の段裏１１ｄを被覆する第３部材２３と、を備え、第１部材２１を踏み板１１に貼着し、第１部材２１の上面に形成され、第２部材２２の板厚ｔ１よりも幅の狭い切欠き溝２１ｅに第２部材２２の下端部を嵌め合せて第２部材２２を蹴込み板１２に貼着し、段裏１１ａに第３部材２３を貼着することを既設階段１の下の段から順に施工する改修方法である。【選択図】図１
2019163638.tif 000002
【特許請求の範囲】
【請求項１】
蹴込み板と、段鼻が前記蹴込み板から突出した踏み板と、を具備する既設階段を板状の化粧部材で被覆する階段の改修方法であって、
前記化粧部材は、前記踏み板の上面を被覆する上面被覆部及び該上面被覆部の一端から下方へ延びて前記段鼻側の側面を被覆する側面被覆部を有する第１部材と、室内に面する化粧面に対し下端面が鋭角に形成されて前記蹴込み板を被覆する第２部材と、前記踏み板の段裏を被覆する第３部材と、を備え、
前記第１部材を前記踏み板に貼着し、
前記上面被覆部の前記側面被覆部側と反対の一端部に形成され、前記第２部材の板厚よりも幅の狭い切欠き溝に前記第２部材の下端部を嵌め合せて前記第２部材を前記蹴込み板に貼着し、
前記段裏に前記第３部材を貼着することを前記既設階段の下の段から順に施工することを特徴とする階段の改修方法。
【請求項２】
前記第２部材は、上端面が前記化粧面に対して鋭角に形成されることを特徴とする請求項１に記載の階段の改修方法。
【請求項３】
前記第１部材は、前記第３部材の前記第２部材と反対側の側面をさらに被覆することを特徴とする請求項１又は請求項２のいずれかに記載の階段の改修方法。
【発明の詳細な説明】
【技術分野】
【０００１】
本発明は、既設階段を化粧部材で被覆する階段の改修方法に関する。
【背景技術】
【０００２】
従来より、木造の既設階段を平板状の新設部材で被覆する階段の改修方法が知られているが（例えば、特許文献１及び特許文献２）、改修を要するこれらの既設階段は経年によって踏み板の沈下や蹴込み板の傾斜を起こしている事が多く、新設部材は既設階段の寸法に合せて現場加工しなければならない。その結果、蹴込み板を覆う部材の下端部と踏み板を覆う部材との接合部に隙間が生じる場合があるが、既設階段の色と新設部材の色とが大きく異なると隙間が目立ってしまうため、隙間を防ぐための新設部材の寸法調整に時間がかかっていた。
【０００３】
一方、新設の階段において、下端面が化粧面に対して鋭角をなす蹴込み板の下端部を踏み板に設けた切欠部に嵌合することで蹴込み板の下端部と踏み板とを隙間なく接合し、意匠性を向上させる接合構造が提案されている。（特許文献３）
【先行技術文献】
【特許文献】
【０００４】
【特許文献１】特開２００５−９７９４７
【特許文献２】特開２００２−３２２７８０
【特許文献３】特開２０１６−８９３５５
【発明の概要】
【発明が解決しようとする課題】
【０００５】
しかしながら、特許文献１及び特許文献２に記載の発明のように、既設階段の蹴込み板を被覆する場合は、蹴込み板を被覆する化粧材の上端部を受けるために溝加工された化粧材を段鼻部に設置する必要があり、部材の製作に手間がかかる。また、既設の踏み板は経年により中央部が下方へ沈下していることもあるが、踏み板を被覆する化粧材と段鼻部に設置された化粧材とが階段の踏み面で分離しているため、両化粧材の接合部分に引掛かりや段差を生じさせる可能性が高く危険である。また、階段を上る際に目につく位置で化粧材同士を接合しているため、階段利用者に雑多な印象を与える可能性がある。
【０００６】
そこで、本発明は、上述した課題を鑑みてなされたものであって、既設階段を容易に化粧部材で被覆し、施工性及び意匠性に優れた階段の改修方法について提供することを目的とする。
【課題を解決するための手段】
【０００７】
本発明の第１の階段の改修方法は、蹴込み板と、段鼻が前記蹴込み板から突出した踏み板と、を具備する既設階段を板状の化粧部材で被覆する階段の改修方法であって、前記化粧部材は、前記踏み板の上面を被覆する上面被覆部及び該上面被覆部の一端から下方へ延びて前記段鼻側の側面を被覆する側面被覆部を有する第１部材と、室内に面する化粧面に対し下端面が鋭角に形成されて前記蹴込み板を被覆する第２部材と、前記踏み板の段裏を被覆する第３部材と、を備え、前記第１部材を前記踏み板に貼着し、前記上面被覆部の前記側面被覆部側と反対の一端部に形成され、前記第２部材の板厚よりも幅の狭い切欠き溝に前記第２部材の下端部を嵌め合せて前記第２部材を前記蹴込み板に貼着し、前記段裏に前記第３部材を貼着することを前記既設階段の下の段から順に施工することを特徴としている。
【０００８】
本発明の第２の階段の改修方法は、前記第２部材が、上端面が化粧面に対して鋭角に形成されることを特徴としている。
【０００９】
本発明の第３の階段の改修方法は、前記側面被覆部が、前記第３部材の前記第２部材側と反対の側面をさらに被覆することを特徴としている。
【発明の効果】
【００１０】
本発明の第１の階段の改修方法によると、第２部材は下端面が化粧面に対し鋭角に形成され、第１部材の上面被覆部は、化粧面に第２部材の板厚よりも幅の狭い切欠き溝を形成されているので、第２部材の下端部を切欠き溝に嵌め合せると第２部材の下端面が第２部材の化粧面側へ滑るので、第１部材と第２部材との間に隙間が生じることを防止できる。また、第２部材を蹴込み面に当接してから第３部材を段裏に貼着するので、万が一第２部材の蹴込み板への貼着力が弱まったとしても第２部材は第３部材に当たって倒れることがない。さらに釘やビスなどを使用しないので施工性を向上させることができる。そして、各部材を踏み面で接合していないので、階段昇降時に利用者に雑多な印象を与えることがなく意匠性を向上させることができる。
【００１１】
本発明の第２の階段の改修方法によると、第２部材は、上端面が化粧面に対して鋭角に形成されるので、第２部材の下端部を切欠き溝に嵌め込んで蹴込み板側へ回動させる際に、第２部材の上端部と段裏とが干渉せず容易に蹴込み板へ当接することができる。
【００１２】
本発明の第３の階段の改修方法によると、側面被覆部は、第３部材の第２部材側と反対の側面をさらに被覆するので、階段を上る際に第３部材の側面が視認されて利用者に雑多な印象を与えることがなく、意匠性を向上させることができる。
【図面の簡単な説明】
【００１３】
【図１】既設階段を化粧部材で被覆した様子を示す断面図。
【図２】既設階段が直階段である場合の化粧部材を示す斜視図。
【図３】既設階段が廻り階段である場合の化粧部材を示す斜視図。
【図４】図１のＡ部分拡大断面図。
【図５】図１のＢ部分拡大断面図。
【図６】踏み板に第１部材を設置する様子を示す断面図。
【図７】蹴込み板に第２部材を設置する様子を示す断面図。
【図８】回動する第２部材の下端部を示す断面図。
【図９】段裏に第３部材を設置する様子を示す断面図。
【発明を実施するための形態】
【００１４】
以下、階段の改修方法の最良の実施形態について各図を参照しつつ説明する。階段の改修方法は、建物内部に設置された既設階段１を板状の化粧部材２で被覆する方法であって、主に木造の直階段や廻り階段で形成された既設階段に好適に使用することができる。図１に示すように、既設階段１は、図外の構造部材に支持され、互いに高さ方向に間隔を空けて配置される複数の水平部材である踏み板１１と、踏み板１１同士の間を閉塞する垂直部材の蹴込み板１２と、を具備しており、踏み板１１の段鼻１１ａは、蹴込み板１２から突出している。
【００１５】
図１及び図２に示すように、化粧部材２は、踏み板１１の上面１１ｂ及び段鼻１１ａ側の側面１１ｃを被覆する側面視略Ｌ形の長尺な第１部材２１と、蹴込み板１２を被覆する長尺な平板状の第２部材２２と、踏み板１１の段裏１１ｄを被覆する長尺な平板状の第３部材２３と、を備えている。なお、図２では既設階段１が直階段である場合の化粧部材２について示しているが、化粧部材２は、図３に示すように、第１部材２１の形状を変形させて廻り階段である既設階段１に用いることもできる。
【００１６】
第１部材２１は、踏み板１１の上面１１ｂを被覆する上面被覆部２１ａと、上面被覆部２１ａの一端から略直角方向へ延びて段鼻１１ａ側の側面１１ｃを被覆する側面被覆部２１ｂと、から構成される。また、上面被覆部２１ａは、室内に面する化粧面２１ｃの側面被覆部２１ｂ側の端部に長手方向へ延びる複数のノンスリップ溝２１ｄを形成されるとともに側面被覆部２１ｂ側と反対の端部に第２部材２２の下端部を嵌め込むための切欠き溝２１ｅを形成されている。
【００１７】
図２から図５に示すように、第２部材２２は長尺な平板状の部材で、下端面２２ａ及び上端面２２ｂが室内に面する化粧面２２ｃに対して鋭角に形成されている。図４に示す第２部材２２の板厚ｔ１は特に限定されないが、第２部材２２を切欠き溝２１ｅに嵌め込んで蹴込み板１２側へ回動させた際に、蹴込み板１２に当接する厚さを有している。
【００１８】
図４に示すように、切欠き溝２１ｅは第２部材２２の板厚ｔ１よりも狭い幅Ｗ１で形成されており、第２部材２２の下端部を切欠き溝２１ｅに嵌め込むと、下端面２２ａは一部分切欠き溝２１ｅから突出する。また、切欠き溝２１ｅは、溝高さＨ１を第２部材２２の下端部を切欠き溝２１ｅに挿入した際の第２部材２２の挿入深度Ｈ２よりも長くなるように形成されているので、第２部材２２の下端は切欠き溝２１ｅの底面に当接しない。切欠き溝２１ｅの幅Ｗ１及び溝高さＨ１は特に限定されないが、例えば、第２部材２２の板厚ｔ１を７ｍｍ程度とした場合、幅Ｗ１を３ｍｍ程度、溝高さＨ１を５ｍｍ程度とすることができる。このような寸法であれば、人が繰り返し既設階段１を昇降しても振動で第２部材２２の下端部が切欠き溝２１ｅから外れることがなく安全に既設階段１を使用することができる。また、上面被覆部２１ａは、その板厚ｔ２を溝高さＨ１の１．５倍〜２倍程度とすることにより、切欠き溝２１ｅ部分での割れを防止することができる。さらに図５に示すように、側面被覆部２１ｂは、第３部材２３を段裏１１ｄに貼着した際に、第３部材２３の第２部材２２と反対側の側面２３ａと密着して被覆する長さを有している。
【００１９】
次に、前記化粧部材２で既設階段１を被覆する階段の改修手順について説明する。化粧部材２による既設階段１の被覆は下の段から行っていく。まず、第１部材２１の化粧面２１ｃと反対側の面に両面テープを貼るとともに接着材を塗布し、図６に示すように、第１部材２１の入隅部を既設階段１の段鼻１１ａの出隅部と合致させて、第１部材２１を踏み板１１に貼着する。第１部材２１の踏み板１１への接着を両面テープ及び接着剤を併用して行うことにより、第１部材２１を強固に既設階段１に固定することができる。
【００２０】
そして第１部材２１と同様に、第２部材２２の化粧面２２ｃと反対側の面に両面テープを貼るとともに接着材を塗布し、図７及び図８（ａ）に示すように、第２部材２２の上端部が蹴込み板１２から離反するように第２部材２２を傾斜させながら第２部材２２の下端部を切欠き溝２１ｅに嵌め込み、第２部材２２の下端部を中心にして第２部材２２の上端部を蹴込み板１２に近接する方向へ回動する。このとき、切欠き溝２１ｅの幅Ｗ１よりも板厚の大きな第２部材２２は、その下端部を完全には切欠き溝２１ｅに挿入できず、また、切欠き溝２１ｅの溝深さＨ１は第２部材２２の挿入深度Ｈ２よりも長いので、図８に示すように第２部材２２の下端部と切欠き溝２１ｅの底面との間には空間Ｓが形成される。そして、図８（ｂ）から（ｄ）に示すように、化粧面２２ｃが切欠き溝２１ｅの蹴込み板１２と反対側の角部に当接するように下端面２２ｂを下方へ滑らせながら第２部材２２をさらに回動させて第２部材２２の裏面を蹴込み板１２に貼着する。このように、第２部材２２の下端部と切欠き溝２１ｅの底面との間に空間Ｓが形成されているため、経年により踏み板１１が下方へ沈下していたり蹴込み板１２が傾斜していても歪みを吸収して第２部材２２を蹴込み板１２に貼着することができる。
【００２１】
また、先述したように、第２部材２２の上端面２２ｂは、化粧面２２ｃに対して鋭角を成しているので、第２部材２２は段裏１１ｄに干渉することなく容易に蹴込み板１２へ当接させることができるとともに、階段を昇降する際に上端部が段裏１１ｄに干渉することによるきしみを低減することができる。さらに、第２化粧材２２の板厚ｔ１は切欠き溝２１ｅの幅Ｗ１よりも大きいので、図８（ｄ）に示すように第２部材２２を蹴込み板１２に当接させると、第２部材２２の下端面２２ｂが化粧面２２ｃ側へ滑って第１部材２１と第２部材２２との間に隙間が生じるのを防ぐことができる。
【００２２】
そして図９に示すように、第３部材２３を第２部材２２の化粧面２２ｃから突出する段裏１１ｄに両面テープで貼着し、同様の手順で既設階段１の上の段も化粧部材２で被覆していく。このとき、図５に示すように、第１部材２１の側面被覆部２１ｂは第３部材２３を段裏１１ｄに貼着した際に、第３部材２３の第２部材２２と反対側の側面２３ａを被覆する長さを有しているので、利用者が階段を上る際に側面２３ａが露出することはなく、雑多な印象を与えることがない。また、第２部材２２を設置した後に第３部材２３を固定するので、万が一第２部材２２の蹴込み板１２への貼着力が弱まったとしても、第２部材２２は第３部材２３に抑えられて踏み板１１側へ倒れることを防止される。したがって、第２部材２２を蹴込み板１２に釘やビスなどで固定したり、第２部材２２の上方に位置する踏み板１１の段裏１１ｄに第２部材２２の上端部を差し込む溝を設ける必要がなく、施工手間を省略して施工性を向上させることができる。
【００２３】
また、第３部材２３の側面２３ａは側面被覆部２１ｂによって被覆され、且つ、第１部材２１及び第３部材２３は踏み面で接合をしていないので、第１部材２１及び第３部材２３の接合部分に引掛かりや段差が生じることはなく、利用者は化粧部材２で被覆された既設階段１を安全に利用することができ、さらに、雑多な印象を受けて心象を悪くすることもない。そして、化粧部材２は、第１部材２１及び第３部材２３を１つの部材とせず２つの部材に分けているので、容易に様々な寸法の踏み板１１に合せて製作することができる。したがって、本願の階段の改修方法は、各所の寸法を合わせるのが困難な廻り階段にも好適に使用することができる。
【００２４】
また、本発明の実施の形態は上述の形態に限ることなく、本発明の思想の範囲を逸脱しない範囲で適宜変更することができる。
【産業上の利用可能性】
【００２５】
本発明に係る階段の改修方法は、既設の廻り階段において好適に使用することができる。
【符号の説明】
【００２６】
１      既設階段
１１    踏み板
１２    蹴込み板
２      化粧部材
２１    第１部材
２１ａ  上部被覆部
２１ｂ  側面被覆部
２１ｅ  切欠き溝
２２    第２部材
２２ａ  下端面
２２ｂ  上端面
２２ｃ  化粧面
２３    第３部材
２３ａ  側面
【図１】
2019163638.tif 000003
【図２】
2019163638.tif 000004
【図３】
2019163638.tif 000005
【図４】
2019163638.tif 000006
【図５】
2019163638.tif 000007
【図６】
2019163638.tif 000008
【図７】
2019163638.tif 000009
【図８】
2019163638.tif 000010
【図９】
2019163638.tif 000011
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
蹴込み板と、段鼻が前記蹴込み板から突出した踏み板と、を具備する既設階段を板状の化粧部材で被覆する階段の改修方法であって、
前記化粧部材は、前記踏み板の上面を被覆する上面被覆部及び該上面被覆部の一端から下方へ延びて前記段鼻側の側面を被覆する側面被覆部を有する第１部材と、室内に面する化粧面に対し下端面及び上端面が鋭角に形成されて前記蹴込み板を被覆する第２部材と、前記踏み板の段裏を被覆する第３部材と、を備え、
前記第１部材を前記踏み板に貼着し、
前記上面被覆部の前記側面被覆部側と反対の一端部に形成され、前記第２部材の板厚よりも幅の狭い切欠き溝に前記第２部材の下端部を嵌め合せて前記第２部材を前記蹴込み板に貼着し、
前記段裏に前記第３部材を貼着することを前記既設階段の下の段から順に施工することを特徴とする階段の改修方法。
【請求項２】
前記第１部材は、前記第３部材の前記第２部材と反対側の側面をさらに被覆することを特徴とする請求項１に記載の階段の改修方法。